(57)【特許請求の範囲】
【請求項１】
上下枠と左右の縦枠と上下枠と縦枠とを連結するコーナー連結部材とを備え、上下枠は、複数の押出形材製の上下枠構成部材をスライドして嵌合し、上下枠構成部材を左右方向に抜け出し不能に凹凸嵌合で連結したものであり、縦枠は、複数の押出形材製の縦枠構成部材をスライドして嵌合し、縦枠構成部材を前後方向に抜け出し不能に凹凸嵌合で連結したものであり、縦枠構成部材は、上下端に開口する中空部を有し、コーナー連結部材は、押出形材製であり、上下枠構成部材の左右方向端部にスライドして嵌合することにより左右方向に抜け出し不能に凹凸嵌合で連結する嵌合部又は被嵌合部を有すると共に、各々の縦枠構成部材の中空部に嵌まる凸状の嵌合部を有し、上下枠構成部材およびコーナー連結部材は、タッピングホールを有することを特徴とする遊戯機用枠体。
【請求項２】
上下枠は、左右方向の両端に嵌合部又は被嵌合部のいずれか一方を有する第１上下枠構成部材と、左右方向の一端に嵌合部を有し且つ他端に被嵌合部を有する第２上下枠構成部材とをスライドして嵌合し、第１上下枠構成部材と第２上下枠構成部材を左右方向に抜け出し不能に凹凸嵌合で連結したものであり、縦枠は、前後方向の両端に嵌合部又は被嵌合部のいずれか一方を有する第１縦枠構成部材と、前後方向のいずれか一端のみに嵌合部又は被嵌合部を有する第２縦枠構成部材とをスライドして嵌合し、第１縦枠構成部材と第２縦枠構成部材を前後方向に抜け出し不能に凹凸嵌合で連結したものであることを特徴とする請求項１記載の遊戯機用枠体。
【請求項３】
下枠は、前後方向に長いコイン排出孔を有し、コイン排出孔は、他の下枠構成部材に跨ることなく、いずれか１つの下枠構成部材のみに設けてあることを特徴とする請求項１又は２記載の遊戯機用枠体。
【発明の詳細な説明】
【技術分野】
【０００１】
本発明は、パチンコ型スロット機などの筐体を構成する遊戯機用枠体に関するものである。
【背景技術】
【０００２】
パチンコ店やゲームセンターなどでは、遊戯者が購入したコインを本体のコイン投入口に投入し、且つ本体前面の操作部で所定の操作をしたときに、一定の条件を満たすことで遊戯者に所定枚数のコインを払い出す態様の遊戯機がある。また、遊戯機本体は、パチンコ型スロット機（パチスロ機）を例に挙げて説明すると、枠体と、その枠体の前面開口端の一側方に回動自在に取り付けられた前扉とから構成されており、枠体内部には、複数のリールを備えたリール装置や、遊戯機を電気的に制御するための制御装置、多数枚のコインを収容するホッパー等のコイン払出装置などが収納されており、前扉には、操作部やリールの覗き窓が設けてある。
【特許文献１】特開２００７−３７６６２号公報
【発明の開示】
【発明が解決しようとする課題】
【０００３】
遊戯機用枠体は、木あるいは樹脂、金属製の枠を上下左右に組み付けて構成するものであったが、通常、各枠の端部を突き合わせて溶接したり、あるいは、ネジやリベットなどの固定部材で接合していたため、組み立てに手間がかかるものであった。また、遊戯機用枠体の下枠には、遊戯中にコイン貯留用のホッパーから溢れ出たコインを遊戯機本体外部に設けてあるコイン回収装置に排出するためのコイン排出孔が設けてあり、コイン排出孔から排出されたコインが遊戯機本体外部にあるコイン回収ラインに流れていく（図３（ｂ）参照）。しかしながら、コイン排出孔は、特開２００７−３７６６２号公報のように、下枠に設けてあるとともに、下枠の奥行方向に長く形成された長孔であるため、例えば、左右方向に長い下枠構成部材を奥行方向に複数連結して下枠を構成した場合、下枠の構成後に一つのコイン排出孔となるように、コイン排出孔の一部をなすコイン排出孔構成部を各下枠構成部材に加工する必要がある。しかしながら、複数の下枠構成部材を連結して下枠を構成したときに、コイン排出孔構成部同士をズレないようにするには高い精度で加工する必要があり、コスト高になるという問題がある。
本発明は、簡単に組み立てることができ、高い精度で加工する必要のない遊戯機用枠体を提供することにある。
【課題を解決するための手段】
【０００４】
本発明の請求項１記載の発明は、上下枠と左右の縦枠と上下枠と縦枠とを連結するコーナー連結部材とを備え、上下枠は、複数の押出形材製の上下枠構成部材をスライドして嵌合し、上下枠構成部材を左右方向に抜け出し不能に凹凸嵌合で連結したものであり、縦枠は、複数の押出形材製の縦枠構成部材をスライドして嵌合し、縦枠構成部材を前後方向に抜け出し不能に凹凸嵌合で連結したものであり、縦枠構成部材は、上下端に開口する中空部を有し、コーナー連結部材は、押出形材製であり、上下枠構成部材の左右方向端部にスライドして嵌合することにより左右方向に抜け出し不能に凹凸嵌合で連結する嵌合部又は被嵌合部を有すると共に、各々の縦枠構成部材の中空部に嵌まる凸状の嵌合部を有し、上下枠構成部材およびコーナー連結部材は、タッピングホールを有することを特徴とする。
【０００５】
本発明の請求項２記載の発明は、上下枠は、左右方向の両端に嵌合部又は被嵌合部のいずれか一方を有する第１上下枠構成部材と、左右方向の一端に嵌合部を有し且つ他端に被嵌合部を有する第２上下枠構成部材とをスライドして嵌合し、第１上下枠構成部材と第２上下枠構成部材を左右方向に抜け出し不能に凹凸嵌合で連結したものであり、縦枠は、前後方向の両端に嵌合部又は被嵌合部のいずれか一方を有する第１縦枠構成部材と、前後方向のいずれか一端のみに嵌合部又は被嵌合部を有する第２縦枠構成部材とをスライドして嵌合し、第１縦枠構成部材と第２縦枠構成部材を前後方向に抜け出し不能に凹凸嵌合で連結したものであることを特徴とする。
【０００６】
本発明の請求項３記載の発明では、下枠は、前後方向に長いコイン排出孔を有し、コイン排出孔は、他の下枠構成部材に跨ることなく、いずれか１つの下枠構成部材のみに設けてあることを特徴とする。
【発明の効果】
【０００７】
請求項１記載の発明によれば、上下枠と左右の縦枠を構成する各構成部材を凹凸嵌合により連結して遊戯機用枠体を形成してあることから、溶接や固定部材を用いることなく遊戯機用枠体を簡単に組み立てることができる。また、第１及び第２上下枠構成部材、第１及び第２縦枠構成部材、コーナー連結部材のすべてが押出形材から得られるので、部品加工や調達が容易である。
【０００８】
請求項２記載の発明によれば、上下枠であれば、第１上下枠構成部材の左右両端に同一形状をなす第２上下枠構成部材を凹凸嵌合でき、また、縦枠であれば、第１縦枠構成部材の前後端に同一形状をなす第２縦枠構成部材を凹凸嵌合でき、さらに、上下枠と左右の縦枠とを同一形状をなすコーナー連結部材で係止できるので、これにより、遊戯機用枠体を可能な限り少ない種類で且つ共通した構成部材で形成できる。
【０００９】
請求項３記載の発明によれば、奥行方向に長いコイン排出孔が一つの下枠構成部材のみに設けてあるので、高い精度で加工する必要がなく、低コストで遊戯機用枠体を容易に組み立てできる。
【発明を実施するための最良の形態】
【００１０】
以下に、図面に基づいて本実施による遊技機用枠体の実施の形態を説明する。
図１は、本実施による遊戯機用枠体の斜視図である。図２（ａ）〜（ｃ）は、遊戯機用枠体を構成する各構成部材の連結状態を示すものであり、（ａ）は、図１中Ｂを拡大し、コーナー連結部材と上下枠構成部材及び縦枠構成部材の連結構造を示す正面図であり、（ｂ）は、上下枠の連結状態を示す正面図であり、（ｃ）は、縦枠の連結状態を示す図１中Ａ−Ａ線横断面図である。図３（ａ）は、本実施による遊戯機用枠体を適用した遊戯機本体の斜視図であり、（ｂ）は、遊戯機本体からコインを回収するコイン回収ラインを説明する概略斜視図である。
【００１１】
本実施による遊戯機用枠体は、図１と図２（ａ）〜（ｃ）を参照すれば、上枠１と、下枠２と、左右の縦枠３と、上下枠１、２と縦枠３とを連結するコーナー連結部材４とから構成するものであり、下枠２には、コイン排出孔５が設けてあり、そのコイン排出孔５から落ちたコインは、図３（ｂ）のように、遊戯機本体Ｇの下方にあるコンベア装置２１の上に乗り、そのコンベア装置２１で島２２と呼ばれる箇所に回収される。
【００１２】
上枠１と下枠２は、図面では上枠１のみを示すが図２（ｂ）のように、押出形材製であり、且つ第１上下枠構成部材１ａ、２ａの左右両側に第２上下枠構成部材１ｂ、２ｂを連結して左右方向に長く構成するものである。第１上下枠構成部材１ａ、２ａは、左右方向の両端に嵌合部６を夫々有している。嵌合部６は、その形状が断面略コ字状をなし、嵌合部６の上下の両溝壁６ａ、６ａの先端部６ｂが溝内に向けて突出している。また、第２上下枠構成部材１ｂ、２ｂは、上記第１上下枠構成部材１ａ、２ａと略同一の構成をなすが、左右方向の一端に第１上下枠構成部材１ａ、２ａと略同一形状をなす嵌合部６を有しており、他端に被嵌合部７を有している。被嵌合部７は、第１上下枠構成部材１ａ、２ａの他端から突出した水平片７ａの突出先端部に垂直片７ｂを有する断面横向き略Ｔ字状をなすものである。このことから、上下枠１、２を構成するときに、第２上下枠構成部材１ｂ、２ｂの被嵌合部７の垂直片７ｂの上下方向の両端部が、第１上下枠構成部材１ａ、２ａの嵌合部６の溝内に入ると共に、その溝内で被嵌合部７の両溝壁６ａ、６ａの先端部６ｂに係止し、これにより、第１上下枠構成部材１ａ、２ａの被嵌合部７に対し、第２上下枠構成部材１ｂ、２ｂの嵌合部６を凹凸嵌合して各々の左右方向の抜け出しが不能な状態で連結できる。また、図１を参照すれば、下枠２を構成する第１下枠構成部材２ａ又は第２下枠構成部材２ｂのうち、図示右側に位置する第２下枠構成部材２ｂには、上下方向に貫通したコイン排出孔５が設けてある。コイン排出孔５は、本実施による遊戯機用枠体を形成したときに、奥行方向に長い楕円形状をなしており、第１下枠構成部材２ａの左右方向に第２下枠構成部材２ｂを夫々連結して下枠２を構成したときに、図１に図示する下枠２の右側に位置する第２下枠構成部材２ｂのみに設けてある。このように第１下枠構成部材２ａと第２下枠構成部材２ｂを配置すれば、コイン排出孔５を単体の第１下枠構成部材２ａ又は第２下枠構成部材２ｂのみに設けることができ、従って、コイン排出孔５を下枠２に容易に加工できる。
【００１３】
縦枠３は、前後方向の両端に夫々嵌合部９を有する第１縦枠構成部材３ｂと、後端に被嵌合部１０を有する第２縦枠構成部材３ａと、前端に被嵌合部１０を有する第２縦枠構成部材３ｃとを前後方向に凹凸嵌合で連結したものである。このうち、第１縦枠構成部材３ｂは、中空の押出形材製であり、その上下端には夫々に断面矩形状をなす中空部８を有し且つ前後方向の両端には、嵌合部９を有するものである。また、嵌合部９と被嵌合部１０は、上記第１上下枠構成部材１ａ、２ａ及び第２上下枠構成部材１ｂ、２ｂの嵌合部６と被嵌合部７と夫々が略同一のものであり、各々の前後方向の抜け出しが不能な状態で凹凸嵌合により連結できるようになっている。また、第２縦枠構成部材３ａ、３ｃは、第１縦枠構成部材３ｂと相違する構成のみを説明すれば、図２（ｃ）に示すように、第１縦枠構成部材３ｂの前端に凹凸嵌合で連結する第２縦枠構成部材３ａには、その前端に前扉（図３（ａ）参照）１６を取付けるための前扉取付片１３を有しており、第１縦枠構成部材３ｂの後端に凹凸嵌合で連結するものには、その後端に背板取付片１４を有している。尚、第１縦枠構成部材３ｂは、第１上下枠構成部材１ａと長さが異なるのみで同一断面形状のものを使用することもできる。
【００１４】
コーナー連結部材４は、縦断面略逆Ｌ字状をなす中空の押出形材製のものであり、図２（ａ）に示すものでは、その左端部に被嵌合部１１を有しており、被嵌合部１１は、第１上下枠構成部材１ａ、２ａ及び第２上下枠構成部材１ｂ、２ｂの被嵌合部１１と略同一の形状をなし、本実施のものでは、第２上下枠構成部材１ｂ、２ｂの嵌合部６に凹凸嵌合して連結することができる。また、下端には嵌合部１２を有しており、嵌合部１２は、２枚の垂直片が左右に間隔をあけてコーナー連結部材４の下端部から下方に突出するものであり、その嵌合部１２が第１縦枠構成部材３ｂ及び第２縦枠構成部材３ａ、３ｃの中空部８内に挿通するとともに、各縦枠構成部材３ａ、３ｂ、３ｃ内に係止することで、コーナー連結部材４と各縦枠構成部材３ａ、３ｂ、３ｃとを凹凸嵌合で連結できる。尚、本実施のものでは、コーナー連結部材４に被嵌合部１１を有するものが示されているが、上記第２上下枠構成部材１ｂ、２ｂのコーナー連結部材４との連結箇所に被嵌合部７を有するものであれば、その被嵌合部７と凹凸嵌合で連結できる嵌合部６と略同一形状をなす嵌合部を有するものを使用する。
【００１５】
以上のように本実施の遊戯機用枠体を形成すると、上下枠１、２は、第１上下枠構成部材１ａ、２ａの左右両端に各々嵌合した第２上下枠構成部材１ｂ、２ｂのコーナー連結部材４と凹凸嵌合する側が、どちらも嵌合部６となっているため、コーナー連結部材４は、上下枠１、２と連結する側に被嵌合部７を有するものが使用される。従って、遊戯機用枠体の四隅のすべてに共通した形状のコーナー連結部材４を使用することができる。
【００１６】
本発明は、上記の実施形態に限るものではなく、図４（ａ）のように、第１上下枠構成部材１ａ、２ａの左右両端に被嵌合部７を有し、その被嵌合部７に、第２上下枠構成部材１ｂ、２ｂの嵌合部６を凹凸嵌合してもよい。従って、第１上下枠構成部材１ａ、２ａの左右両端に凹凸嵌合で連結する第２上下枠構成部材１ｂ、２ｂは、コーナー連結部材４と連結する側が嵌合部６又は被嵌合部７のいずれかに統一されていれば、図２（ａ）（ｂ）に示す実施形態のものと同様に、遊戯機用枠体の四隅すべてに共通した形状をなすコーナー連結部材４を使用できる。また、図４（ｂ）のように、第１縦枠構成部材３ｂの前後方向の両端に有する嵌合部９に、前後方向の一端に嵌合部９を有し且つ他端に被嵌合部１０を有する第３縦枠構成部材３ｄの被嵌合部１０を凹凸嵌合で連結してもよい。具体的には、第１縦枠構成部材３ｂの前側に連結した第３縦枠構成部材３ｄの嵌合部９に、前扉取付片１３を有する第２縦枠構成部材３ａの被嵌合部１０を凹凸嵌合で連結し、さらに、第１縦枠構成部材３ｂの後側に連結した第３縦枠構成部材３ｄの嵌合部９に、背板取付片１４を有する第２縦枠構成部材３ｃの被嵌合部１０を凹凸嵌合で連結することで、これにより、３つ以上の縦枠構成部材３ａ、３ｂ、３ｃ、３ｄで縦枠３を構成したものである。このようにすると、各縦枠構成部材３ａ、３ｂ、３ｃ、３ｄの個体当たりの大きさを小さく形成できるため、製造時に各縦枠構成部材３ａ、３ｂ、３ｃ、３ｄを押し出ししやすいといった効果を奏するものである。また、上下枠１、２を構成する各上下枠構成部材１ａ、１ｂ、２ａ、２ｂにおいても同様に、個数を限定するものではなく、上記縦枠３の場合と同様の効果を奏するものである。また、上下枠１、２、縦枠３を構成する各構成部材１ａ、１ｂ、２ａ、２ｂ、３ａ、３ｂ、３ｃ、３ｄ及びコーナー連結部材４に有する嵌合部６、９、１２、被嵌合部７、１０、１１及び中空部８については、各々の構成部材を凹凸嵌合で連結できるものであれば、本実施の形状のものに限定しない。
【図面の簡単な説明】
【００１７】
【図１】本実施による遊戯機用枠体の斜視図である。
【図２（ａ）（ｂ）（ｃ）】（ａ）は、図１中Ｂを拡大し、コーナー連結部材と上下枠構成部材及び縦枠構成部材の連結構造を示す正面図であり、（ｂ）は、上下枠の連結状態を示す正面図であり、（ｃ）は、縦枠の連結状態を示す図１中Ａ−Ａ線横断面図である。
【図３（ａ）（ｂ）】（ａ）は、本実施による遊戯機用枠体を適用した遊戯機本体の斜視図であり、（ｂ）は、遊戯機本体のコイン回収ラインの一例を説明する概略斜視図である。
【図４（ａ）（ｂ）】（ａ）は、他の実施形態による上下枠の連結状態を示す正面図であり、（ｂ）は、他の実施形態による縦枠の連結状態を示す横断面図である。
【符号の説明】
【００１８】
１上枠（上下枠）
１ａ 第１上枠構成部材（第１上下枠構成部材）
１ｂ 第２上枠構成部材（第２上下枠構成部材）
２ 下枠（上下枠）
２ａ 第１下枠構成部材（第１上下枠構成部材）
２ｂ 第２下枠構成部材（第２上下枠構成部材）
３ 縦枠
３ｂ 第１縦枠構成部材
３ａ，３ｃ 第２縦枠構成部材
３ｄ 第３縦枠構成部材
４ コーナー連結部材
６，９，１２ 嵌合部
７，１０，１１ 被嵌合部
８ 中空部  １５  タッピングホール
【図１】
0005236302.tif 000002
【図２（ａ）（ｂ）（ｃ）】
0005236302.tif 000003
【図３（ａ）（ｂ）】
0005236302.tif 000004
【図４（ａ）（ｂ）】
0005236302.tif 000005